Podtech/llm-jp-corpus-v4-ja_patent huggingface dataset:
【手続補正書】
【提出日】平成28年5月16日(2016.5.16)
【手続補正１】
【補正対象書類名】特許請求の範囲
【補正対象項目名】全文
【補正方法】変更
【補正の内容】
【特許請求の範囲】
【請求項１】
ページング動作が少なくとも１つの遠隔デバイスによって実行されるページスキャンと非同期状態である場合に、該ページング動作においてページへの応答を受信することに関連する遅延分布を制御する方法であって、
一連のページ動作を実行することと、そこにおいて、各ページ動作はページを送信することとページ応答に関するスキャンをすることを備える、
前記少なくとも１つの遠隔デバイスによって実行された前記ページに関する１つまたは複数のスキャンの特性に基づいて、前記一連のページ動作を実行することに関連する少なくとも１つのタイミングパラメータを調整すること、
を備える、方法。
【請求項２】
前記少なくとも１つのタイミングパラメータは、前記ページの持続期間を備える、請求項１に記載の方法。
【請求項３】
前記少なくとも１つのタイミングパラメータは、前記ページ応答に関する前記スキャンの持続期間を備える、請求項１に記載の方法。
【請求項４】
前記調整前に、前記ページ動作は別の遠隔デバイスを対象とし、前記調整後に、前記ページ動作は前記少なくとも１つの遠隔デバイスを対象とする、請求項１に記載の方法。
【請求項５】
前記少なくとも１つの遠隔デバイスから前記ページ応答を受信しようとする際に、時間の経過と共に前記少なくとも１つのタイミングパラメータを再調整することをさらに備える、請求項１に記載の方法。
【請求項６】
前記少なくとも１つのタイミングパラメータを調整することは、前記少なくとも１つの遠隔デバイスから前記ページ応答を受信できなかったことに基づく、請求項１に記載の方法。
【請求項７】
請求項１から請求項６のうちの何れかによる方法を実行するための命令を備える、コンピュータ・プログラム・プロダクト。
【請求項８】
ページング動作が少なくとも１つの遠隔デバイスによって実行されるページスキャンと非同期状態である場合に、該ページング動作においてページへの応答を受信することに関連する遅延分布を制御するための装置であって、
一連のページ動作を実行するための手段と、そこにおいて、各ページ動作はページを送信することとページ応答に関するスキャンをすることを備える、
前記少なくとも１つの遠隔デバイスによって実行された前記ページに関する１つまたは複数のスキャンの特性に基づいて、前記一連のページ動作を実行することに関連する少なくとも１つのタイミングパラメータを調整するための手段と、
前記少なくとも１つの遠隔デバイスに前記ページを送信するための手段と、
前記少なくとも１つの遠隔デバイスから前記ページ応答を受信するための手段、
を備える、装置。
【請求項９】
前記少なくとも１つのタイミングパラメータは、前記ページの持続期間を備える、請求項８に記載の装置。
【請求項１０】
前記少なくとも１つのタイミングパラメータは、前記ページ応答に関する前記スキャンの持続期間を備える、請求項８に記載の装置。
【請求項１１】
前記調整前に、前記ページ動作は別の遠隔デバイスを対象とし、前記調整後に、前記ページ動作は前記少なくとも１つの遠隔デバイスを対象とする、請求項８に記載の装置。
【請求項１２】
前記調整するための手段は、前記少なくとも１つの遠隔デバイスから前記ページ応答を受信しようとする際に、時間の経過と共に前記少なくとも１つのタイミングパラメータを再調整するように構成される、請求項８に記載の装置。
【請求項１３】
前記装置が、前記少なくとも１つの遠隔デバイスから受信されたデータに基づいて音声を生成するように構成されたトランスデユーサをさらに備える、ヘッドセットである、請求項８に記載の装置。
【請求項１４】
前記装置が、前記少なくとも１つの遠隔デバイスから受信されたデータに基づいて指示を生成するように構成されたユーザインターフェースをさらに備える、時計である、請求項８に記載の装置。
【請求項１５】
前記装置が、前記少なくとも１つの遠隔デバイスへの送信に関するデータを生成するように構成された検知機を備える、検知デバイスである、請求項８に記載の装置。
【手続補正書】
【提出日】平成28年6月1日(2016.6.1)
【手続補正１】
【補正対象書類名】特許請求の範囲
【補正対象項目名】全文
【補正方法】変更
【補正の内容】
【特許請求の範囲】
【請求項１】
部屋の中にアンビエントヒーリング環境を生成するためのシステムであって、
香りの連続バッチを患者に供給する一次香り供給機構と、
動作中に一次時系列に従って前記香りの連続バッチを断続的に供給するように前記一次香り供給機構を制御するコントローラと、
医療処置を実行するための前記部屋の中の香りの量を示す測定信号を生成するためのセンサとを有し、
前記コントローラが前記測定信号に応じて前記香りの連続バッチ間の期間又は前記香りの連続バッチのサイズを適応させる、システム。
【請求項２】
前記コントローラが、医療処置を実行するための前記部屋に前記患者が入室したことを検出するのに応じて前記一次時系列を開始する、請求項１に記載のシステム。
【請求項３】
前記コントローラが、医療処置を実行するための前記部屋を前記患者が退室したことを検出するのに応じて前記一次時系列を終了する、請求項１に記載のシステム。
【請求項４】
前記コントローラが、医療処置を実行するための前記部屋を前記患者が退室したことを検出するのに応じて、当該部屋から香りの抽出を開始する、請求項１に記載のシステム。
【請求項５】
前記香りを選択するためのユーザインターフェースをさらに有する、請求項１に記載のシステム。
【請求項６】
前記一次香り供給機構を組み込む、医療処置の実行中に前記患者によって装着されるヘッドセットをさらに有する、請求項１に記載のシステム。
【請求項７】
前記ヘッドセットが香りを抽出する香り抽出機構をさらに有し、前記コントローラが抽出時系列に従って香りの抽出を制御する、請求項６に記載のシステム。
【請求項８】
前記ヘッドセットが前記一次香り供給機構と前記香り抽出機構を、前記ヘッドセットが前記患者によって装着されているときにこれらが相互に前記患者の鼻器官の両側にあるように組み込む、請求項６に記載のシステム。
【請求項９】
前記一次香り供給機構を組み込む、医療処置の実行中に前記患者の鼻器官の近くで患者テーブルに取り付けられるテーブルトップをさらに有する、請求項１に記載のシステム。
【請求項１０】
前記テーブルトップが香りを抽出する香り抽出機構をさらに有し、前記コントローラが抽出時系列に従って香りの抽出を制御する、請求項９に記載のシステム。
【請求項１１】
前記テーブルトップが前記一次香り供給機構と前記香り抽出機構を、前記テーブルトップが前記患者テーブルに取り付けられるときにこれらが相互に前記患者の鼻器官の両側にあるように組み込む、請求項９に記載のシステム。
【請求項１２】
患者に香りのバッチを供給する、前記一次香り供給機構から離れた二次香り供給機構をさらに有し、前記コントローラが、動作中に二次時系列に従って前記香りのバッチを供給するように前記二次香り供給機構を制御する、請求項１に記載のシステム。
【請求項１３】
前記コントローラが、医療処置を実行するための前記部屋に前記患者が入室したことを検出するのに応じて前記二次時系列を開始する、請求項１２に記載のシステム。
【手続補正書】
【提出日】平成28年5月30日(2016.5.30)
【手続補正１】
【補正対象書類名】特許請求の範囲
【補正対象項目名】請求項６
【補正方法】変更
【補正の内容】
【請求項６】
請求項１から３のいずれか一項に記載の組換えアデノウィルスまたは請求項４または５に記載のプラスミドを含む口蹄疫ウィルス抑制剤。
【手続補正２】
【補正対象書類名】明細書
【補正対象項目名】００１６
【補正方法】変更
【補正の内容】
【００１６】
［実施例１］  組換えアデノウィルスの製作
ＣＭＶプロモータの後ろにブタインターフェロンアルファ及びブタインターフェロンガンマシーケンスを挿入し、両遺伝子の間に口蹄疫ウィルス２Ａ遺伝子を入れて同時に発現させ、これについては、図１に例示されている。
【手続補正書】
【提出日】平成28年5月11日(2016.5.11)
【手続補正１】
【補正対象書類名】特許請求の範囲
【補正対象項目名】全文
【補正方法】変更
【補正の内容】
【特許請求の範囲】
【請求項１】
無線アクセスネットワークにおける輻輳を制御するためのシステムであって、
ポリシーおよび課金ルール機能（ＰＣＲＦ）を備え、前記ポリシーおよび課金ルール機能（ＰＣＲＦ）は、
無線アクセスネットワークにおける承認制御機能を行うためのノードから承認要求を受け取り、
前記承認要求の受け取りに応答して、前記無線アクセスネットワークにおける輻輳を制御する加入者特定ポリシーを前記ノードにインストールする、システム。
【請求項２】
前記ノードは、無線アクセスネットワークを介してユーザ機器と通信するための発展型ＮｏｄｅＢ(ｅＮｏｄｅＢ)を含む、請求項１に記載のシステム。
【請求項３】
前記ノードは、ポリシー制御および実施機能（ＰＣＥＦ）として機能する、請求項１または２に記載のシステム。
【請求項４】
前記ＰＣＲＦは、前記無線アクセスネットワークにおいて加入者を実施するためにノードに輻輳制御ポリシーをインストールするように構成される、請求項１〜３のいずれか１項に記載のシステム。
【請求項５】
前記ＰＣＲＦは、時刻に基づいて前記無線アクセスネットワークにおける輻輳を管理するために輻輳制御ポリシーを前記ノードにインストールするように構成される、請求項１〜３のいずれか１項に記載のシステム。
【請求項６】
前記ＰＣＲＦは、装置タイプに基づいて前記無線アクセスネットワークにおける輻輳を管理する輻輳制御ポリシーを前記ノードにインストールするように構成される、請求項１〜３のいずれか１項に記載のシステム。
【請求項７】
前記ＰＣＲＦは、輻輳を含むネットワーク状況に基づいて前記無線アクセスネットワークにおいて輻輳制御ポリシーをインストールように構成される、請求項１〜６のいずれか１項に記載のシステム。
【請求項８】
前記ＰＣＲＦは、ユーザ機器（ＵＥ）上のアプリケーションによって要求されるサービス品質（ＱｏＳ）に基づいて前記無線アクセスネットワークにおける輻輳を管理する輻輳制御ポリシーをインストールするように構成される、請求項１〜６のいずれか１項に記載のシステム。
【請求項９】
無線アクセスネットワークにおける輻輳を制御するための方法であって、
ポリシーおよび課金ルール機能（ＰＣＲＦ）において、
無線アクセスネットワークにおける承認制御機能を行うためのノードから承認要求を受け取るステップと、
前記承認要求の受け取りに応答し、前記無線アクセスネットワークにおける輻輳を制御する加入者特定ポリシーを前記ノードにインストールするステップとを備える、方法。
【請求項１０】
実行可能命令を含むコンピュータ読取可能プログラムであって、前記実行可能命令は、コンピュータのプロセッサによって実行された場合、
ポリシーおよび課金ルール機能（ＰＣＲＦ）において、承認要求をノードから受け取るステップと、
前記承認要求の受け取りに応答し、前記無線アクセスネットワークにおける輻輳を制御するために前記ノードに加入者特定ポリシーをインストールするステップとをコンピュータに実行させる、コンピュータ読取可能プログラム。
【手続補正書】
【提出日】平成28年5月12日(2016.5.12)
【手続補正１】
【補正対象書類名】特許請求の範囲
【補正対象項目名】全文
【補正方法】変更
【補正の内容】
【特許請求の範囲】
【請求項１】
切断ヘッド内の切断ゾーンを横切る光軸に沿ってレーザビームを向ける光学系を有する、毛髪を切断するための装置用の前記切断ヘッドであって、前記光学系は、前記光軸に沿って前記切断ゾーン内で前記レーザビームの焦点の位置を制御する可変焦点レンズと、前記切断ゾーンを横切るように前記レーザビームを向けるための第１反射素子と、を有し、前記第１反射素子は、使用中に、前記切断ゾーンを横切る前記光軸がユーザの皮膚と平行となるように配置される、切断ヘッド。
【請求項２】
前記光学系は、前記光軸に沿った前記切断ゾーン内での前記レーザビームの焦点の位置の移動の間、前記光軸の位置が変更されない光学系である、請求項１に記載の切断ヘッド。
【請求項３】
使用中に、前記可変焦点レンズは、前記装置内のレーザ発生器と前記第１反射素子との間に配置される、請求項１又は２に記載の切断ヘッド。
【請求項４】
ユーザの皮膚と前記切断ゾーン内の前記レーザビームとの間隔を保つために、使用中にユーザの皮膚と接触するように前記切断ゾーンに隣接して配置されるスペーサを更に有する、請求項１乃至３の何れか一項に記載の切断ヘッド。
【請求項５】
前記光学系は、前記レーザビームを前記切断ゾーンから離れるように向けるために、前記切断ゾーンの前記第１反射素子と反対側に配置される第２反射素子を有する、請求項１乃至４の何れか一項に記載の切断ヘッド。
【請求項６】
前記光学系は、毛髪を切断するための前記切断ゾーン内に第２レーザビームが存在するように、前記切断ゾーンを横切って戻るように前記レーザビームを向けさせる第２反射素子を有する、請求項１乃至４の何れか一項に記載の切断ヘッド。
【請求項７】
請求項１乃至６の何れか一項に記載の切断ヘッドと、前記可変焦点レンズを制御するためのコントローラとを有する、毛髪を切断するための装置。
【請求項８】
前記コントローラは、前記光軸に沿って前記切断ゾーンにわたって揺動運動で前記レーザビームの焦点の位置を制御するために前記可変焦点レンズを制御する、請求項７に記載の毛髪を切断するための装置。
【請求項９】
前記コントローラは、前記揺動運動により前記光軸に沿った任意の位置での焦点の滞留時間が実質的に一定であるように、前記光軸に沿って前記レーザビームの焦点を制御するための前記可変焦点レンズを制御する、請求項８に記載の毛髪を切断するための装置。
【請求項１０】
前記切断ゾーン内のユーザの毛髪の位置を検出する毛髪センサを更に有し、前記コントローラは検出された前記毛髪と一致するように前記レーザビームの焦点を移動させる、請求項７に記載の毛髪を切断するための装置。
【請求項１１】
請求項１乃至６の何れか一項に記載の切断ヘッドを複数有する、請求項７乃至１０の何れか一項に記載の毛髪を切断するための装置。
【請求項１２】
切断ゾーンを横切る光軸に沿ってレーザビームを向けるステップと、前記光軸に沿って前記切断ゾーン内で前記レーザビームの焦点の位置を制御するために可変焦点レンズを制御するステップとを有し、使用中に、前記切断ゾーンを横切る前記光軸はユーザの皮膚と平行である、毛髪を切断するための装置を制御する方法。
【請求項１３】
前記可変焦点レンズは、前記光軸に沿って前記切断ゾーンにわたって前記レーザビームの焦点の位置を揺動させるように制御される、請求項１２に記載の毛髪を切断するための装置を制御する方法。
【手続補正２】
【補正対象書類名】明細書
【補正対象項目名】００１０
【補正方法】変更
【補正の内容】
【００１０】
前記光学系は、前記切断ゾーンを横切るように前記レーザビームを向けさせるための第１反射素子を有する。
【手続補正３】
【補正対象書類名】明細書
【補正対象項目名】００３３
【補正方法】変更
【補正の内容】
【００３３】
本発明の別の態様では、切断ゾーンを横切る光軸に沿ってレーザビームを向けるステップと、前記光軸に沿って前記切断ゾーン内で前記レーザビームの焦点の位置を制御するために可変焦点レンズを制御するステップとを有する、毛髪を切断するための装置を制御する方法が提供される。
【手続補正４】
【補正対象書類名】明細書
【補正対象項目名】００４６
【補正方法】変更
【補正の内容】
【００４６】
第１反射素子４は、切断レーザビーム１８を形成するために、切断ゾーン８を横切る光軸１２に沿って可変焦点ビーム１７を９０度反射させる。可変焦点レンズ１６は、切断ビーム１８の光軸１２が定位置にとどまるように、可変焦点ビーム１７の焦点を、可変焦点ビーム１７の光軸２０に沿ってのみ移動することが重要である。切断レーザビーム１８の光軸１２の定位置は、切断の高さが一定にとどまり、使用の間レーザビームがユーザの皮膚と平行にとどまることを意味する。この実施形態では、前と同様に、第２反射素子９が切断ゾーン８の第１反射素子４と反対側に配置され、切断ゾーン８から離れて出口ビーム１０に沿って切断レーザビームを９０度反射させる。
【手続補正書】
【提出日】平成28年3月2日(2016.3.2)
【手続補正１】
【補正対象書類名】特許請求の範囲
【補正対象項目名】全文
【補正方法】変更
【補正の内容】
【特許請求の範囲】
【請求項１】
患者の頭蓋骨が術後の形状にあるときに前記患者の歯列を受容するように構成された外科スプリントを術前に形成する方法であって、前記方法は、
少なくとも前記患者の上顎、下顎、及び歯列の三次元顔コンピュータモデルをコンピュータに得る工程であって、前記三次元顔コンピュータモデルは第１の仮想歯列を含み、前記第１の仮想歯列の少なくとも一部は、少なくとも１つの第１の基準マーカーを画定する第１の仮想表面ジオメトリを有し、前記少なくとも１つの第１の基準マーカーは、前記第１の仮想歯列の第１の解剖学的特徴部を特定する第１の位置を画定する、工程と、
第２の仮想歯列を生成するために、前記コンピュータに前記患者の歯列の三次元光口内スキャンを得る工程であって、前記第２の仮想歯列の少なくとも一部は、少なくとも１つの第２の基準マーカーを画定する第２の表面ジオメトリを有し、前記少なくとも１つの第２の基準マーカーは、前記第２の仮想歯列の第２の解剖学的特徴部を特定する第２の位置を画定する、工程と、
前記第１の基準マーカーを前記第２の基準マーカーと整合する工程と、
前記整合工程の後に、合成三次元仮想モデルを形成するために前記三次元顔コンピュータモデルの前記第１の仮想歯列を前記第２の仮想歯列と置き換える工程であって、前記合成三次元仮想モデルは、計画された術後の構成の第３の仮想歯列を有する、工程と、
前記第３の仮想歯列の少なくとも一部の陰型印象を有する外科スプリントを構築する工程と、を含む、方法。
【請求項２】
前記患者の歯列の前記表面ジオメトリの三次元光口内スキャンを得る工程が、前記患者の歯列の口内撮像を行う工程を含む、請求項１に記載の方法。
【請求項３】
前記置き換える工程の後に、前記第３の仮想歯列を前記計画された術後の構成に移動する、請求項１に記載の方法。
【請求項４】
前記第３の仮想歯列が上顎歯列と下顎歯列とを含み、前記移動する工程が、前記上顎歯列と前記下顎歯列の一方を、前記上顎歯列と前記下顎歯列の他方を移動せずに、移動する工程を含む、請求項３に記載の方法。
【請求項５】
前記構築する工程が、前記外科スプリントに、前記上顎歯列の少なくとも一部及び前記下顎歯列の少なくとも一部の両方の陰型印象を形成する工程を更に含む、請求項１に記載の方法。
【請求項６】
前記第１の仮想表面ジオメトリが少なくとも３つの第１の基準マーカーを画定し、前記第２の仮想歯列が、少なくとも３つの第２の基準マーカーを画定する第２の表面ジオメトリを有する、請求項１に記載の方法。
【請求項７】
前記三次元顔コンピュータモデルを得る工程が、ＣＴスキャナを用いて前記患者の頭蓋骨をスキャンする工程を含む、請求項１に記載の方法。
【請求項８】
前記合成三次元仮想モデルが仮想上顎と仮想下顎とを含み、前記仮想上顎及び前記仮想下顎の少なくとも一方を再配置することによって前記合成三次元仮想モデルを操作して前記術後の構成にする工程を更に含む、請求項１に記載の方法。
【請求項９】
前記第３の仮想歯列と一致する仮想外科スプリントモデルを作成する工程を更に含み、前記外科スプリントを構築する工程が、前記仮想外科スプリントモデルに対応するように前記外科スプリントを作製する工程を含む、請求項１に記載の方法。
【請求項１０】
前記第１の基準マーカーを前記第２の基準マーカーと整合する工程が、金属基準マーカーを用いずに達成される、請求項１に記載の方法。
【請求項１１】
前記第３の仮想歯列が前記第２の仮想歯列と同じである、請求項１に記載の方法。
【請求項１２】
前記第２の仮想歯列が、前記第１の仮想歯列より正確に前記患者の実際の歯列を描出する、請求項１に記載の方法。
【請求項１３】
患者の頭蓋骨が術後の形状にあるときに前記患者の歯列を受容するように構成された外科スプリントを術前に形成する方法であって、前記方法は、
少なくとも前記患者の上顎、下顎、及び歯列の三次元顔コンピュータモデルをコンピュータに得る工程であって、前記三次元顔コンピュータモデルが第１の仮想歯列を含み、前記第１の仮想歯列の少なくとも一部が、少なくとも１つの第１の基準マーカーを画定する解剖学的特徴部を有する、工程と、
前記患者の歯列の三次元光スキャンを前記コンピュータに得る工程であって、前記三次元光口内スキャンが第２の仮想歯列を含み、前記第２の仮想歯列の少なくとも一部が、前記第１の解剖学的特徴部に対応する、少なくとも１つの第２の基準マーカーを画定する第２の解剖学的特徴部を有する、工程と、
前記第１の基準マーカーを前記第２の基準マーカーと整合する工程と、
前記整合工程の後に、前記三次元顔コンピュータモデルの前記第１の仮想歯列を前記第２の仮想歯列と置き換えることにより、第３の仮想歯列を有する合成三次元仮想モデルを形成する工程と、
前記合成三次元仮想モデルを操作して、計画された術後の構成にする工程と、
前記計画された術後の構成にあるときに前記第３の仮想歯列の少なくとも一部の陰型印象を有する外科スプリントをカスタム構築する工程と、を含む、方法。
【請求項１４】
三次元顔コンピュータモデルを得る工程が、ＣＴスキャナを用いて前記患者の頭蓋骨をスキャンする工程を含む、請求項１３に記載の方法。
【請求項１５】
前記合成三次元仮想モデルが仮想下顎と仮想上顎とを含み、前記合成三次元仮想モデルを操作する工程が、前記仮想上顎及び前記仮想下顎の少なくとも一方を再配置することを含む、請求項１３に記載の方法。
【請求項１６】
前記第３の仮想歯列と一致する仮想外科スプリントモデルを作成する工程を更に含み、前記外科スプリントをカスタム構築する工程が、前記仮想外科スプリントモデルに対応するように前記外科スプリントを作製する工程を含む、請求項１３に記載の方法。
【請求項１７】
前記第１の基準マーカーを前記第２の基準マーカーと整合する工程が、金属基準マーカーを用いずに達成される、請求項１３に記載の方法。
【請求項１８】
前記第３の仮想歯列が前記第２の仮想歯列と同じである、請求項１３に記載の方法。
【手続補正書】
【提出日】平成28年7月6日(2016.7.6)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
マルチメディアブロードキャスト／マルチキャストサービス、ＭＢＭＳを提供する第１のセル内で動作している間に、隣接セルの存在を識別することと、
前記隣接セルを特徴付ける、ユーザ機器、ＵＥによって保持される情報に基づいて、前記隣接セルが前記第１のセル内で提供されるＭＢＭＳサービスとは異なるＭＢＭＳサービスを提供するか、同じＭＢＭＳサービスを提供するかを、前記ＵＥにおいて決定することと、
前記隣接セルを特徴付ける、前記ＵＥによって保持される情報に基づいて、前記隣接セルが会場内サービスを提供するか、ブーストされたユニキャストサービスを提供するかを、前記ＵＥにおいて決定することと、
前記ＵＥが前記第１のセル内でＭＢＭＳサービスを受信している時に、前記隣接セルが、前記会場内サービスあるいは前記第１のセル内で同様に提供されるブロードキャストまたはマルチキャストサービスを提供すると決定された場合、前記隣接セルに移動すること、または前記ＵＥが前記第１のセル内でブロードキャストまたはマルチキャストサービスを受信している時に、前記隣接セルが、前記ブーストされたユニキャストサービスあるいは前記第１のセル内で提供されるものとは異なるブロードキャストまたはマルチキャストサービスを提供すると決定された場合、前記隣接セルに移動することと、
を備える、方法。
【請求項２】
前記第１のセルは、マクロセルおよび１つまたは複数のスモールセルを含む異種ネットワークを備え、少なくとも前記隣接セルは、前記１つまたは複数のスモールセルに含まれる、請求項１に記載の方法。
【請求項３】
前記ＵＥが前記第１のセル内で動作している間に、システム情報ブロック、ＳＩＢを受信することをさらに備え、前記ＳＩＢは、１つまたは複数のセルに関連付けられたサービスエリアアイデンティティ、ＳＡＩを含む、請求項１に記載の方法。
【請求項４】
前記ＳＩＢは、前記隣接セルの物理セルアイデンティティ、ＰＣＩを含み、前記ＵＥは、前記隣接セルが、前記ＰＣＩに基づいて、会場内サービスを提供するか、ブーストされたユニキャストサービスを提供するかを決定する、または前記ＳＩＢは、前記隣接セルに関連付けられたＰＣＩに前記ＳＡＩをマッピングする情報を備える、または前記ＳＩＢは、前記第１のセルに関連付けられた周波数、前記隣接セルに関連付けられた周波数、および少なくとも１つのＳＡＩを識別する情報を備える、請求項３に記載の方法。
【請求項５】
前記ＰＣＩは、会場内サービスを提供するセルのためにネットワークオペレータによって確保された第１の複数のＰＣＩのうちの１つであるか、またはブーストされたユニキャストサービスを提供するセルによって使用される第２の複数のＰＣＩのうちの１つである、または前記ＰＣＩは、会場内サービスを提供するセルのために確保される複数の予め定義されたＰＣＩのうちの１つである、請求項４に記載の方法。
【請求項６】
前記隣接セルに関連付けられた前記ＰＣＩに前記ＳＡＩをマッピングする前記情報は、前記隣接セルの特徴に基づいて生成される、または前記隣接セルに関連付けられた前記ＰＣＩに前記ＳＡＩをマッピングする前記情報は、前記隣接セルによって報告された前記隣接セルの特徴に基づいて、ネットワークエンティティによって提供される、または前記隣接セルに関連付けられた前記ＰＣＩに前記ＳＡＩをマッピングする前記情報は、前記第１のセルの基地局によって提供される、請求項４に記載の方法。
【請求項７】
前記ＳＩＢは、前記隣接セルのＳＡＩを識別し、前記隣接セルの前記ＳＡＩは、会場内サービスに対応する、請求項４に記載の方法。
【請求項８】
前記第１のセルが前記会場内サービスを提供しない時に、前記隣接セルが前記会場内サービスを提供すると決定された場合、前記隣接セルに移動することをさらに備える、請求項１に記載の方法。
【請求項９】
前記第１のセルが前記会場内サービスを提供しない時に、前記隣接セルに移動することは、
ネットワークオペレータまたはユーザの予め定義された好みに基づいて、前記会場内サービスを選択するかどうかを決定することと、
前記ＵＥが前記会場内サービスを選択した場合に、前記隣接セルに移動することと、
を含む、請求項８に記載の方法。
【請求項１０】
前記ＵＥが会場内サービスを選択した場合、前記第１のセル内で利用可能な全国向けのサービスを終了させることをさらに備える、請求項８に記載の方法。
【請求項１１】
前記隣接セルが、前記第１のセル内で提供される前記ＭＢＭＳサービスとは異なる前記ＭＢＭＳサービスを提供すると決定された場合、前記隣接セルに移動することをさらに備える、請求項１に記載の方法。
【請求項１２】
前記隣接セルが、前記第１のセル内で提供される前記ＭＢＭＳサービスとは異なる前記ＭＢＭＳサービスを提供すると決定された場合、前記隣接セルに移動することは、
ネットワークオペレータまたはユーザの予め定義された好みに基づいて、前記ＭＢＭＳサービスを選択するかどうかを決定することと、
前記ＵＥが前記ＭＢＭＳサービスを選択した場合に、前記隣接セルに移動することと、
を含む、請求項１１に記載の方法。
【請求項１３】
前記ＵＥが、前記第１のセル内で提供される前記ＭＢＭＳサービスとは異なる、前記隣接セルによって提供されるＭＢＭＳサービスを選択した場合、前記第１のセル内で利用可能なサービスを終了させることをさらに備える、請求項１２に記載の方法。
【請求項１４】
ワイヤレス通信のための装置であって、
請求項１乃至１３のいずれか１項に記載のステップを実行するように配置された手段を備える、装置。
【請求項１５】
コンピュータプログラムであって、
実行されたとき、少なくとも１つのコンピュータに、請求項１乃至１３の１項に記載の方法を実行させるための実行可能な命令を備える、コンピュータプログラム。
【手続補正書】
【提出日】平成28年5月25日(2016.5.25)
【手続補正１】
【補正対象書類名】明細書
【補正対象項目名】０００３
【補正方法】変更
【補正の内容】
【０００３】
発電用の太陽電池パネル使用は、個人および企業が電気コストと温室効果ガス排出量の軽減方法を追求していることにより、ますます普及している。太陽光電力の使用が増すに伴い、太陽光発電に使用されるアレイサイズも増大している。そのエネルギーを活用するには、アレイ各部からの電気出力を合成し、当該システムの初期段階で障害を検出して、そのような障害による潜在的な損傷を最小限に抑えることが望ましい。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２０１１／００７３１５０号明細書
（特許文献２）  ロシア国実用新案第１００２８２号明細書
（特許文献３）  米国特許第６，５４５，２１１号明細書
（特許文献４）  米国特許出願公開第２００９／０２０７５４３号明細書
【手続補正書】
【提出日】平成28年6月14日(2016.6.14)
【手続補正１】
【補正対象書類名】特許請求の範囲
【補正対象項目名】全文
【補正方法】変更
【補正の内容】
【特許請求の範囲】
【請求項１】
運動器具に組み込まれる抵抗システムであって、
第１の抵抗特性を有している第１の抵抗ユニットと、
前記第１の抵抗特性とは異なる第２の抵抗特性を有している第２の抵抗ユニットであって、使用者が選択可能な荷重調節器を備えている第２の抵抗ユニットと、
使用者により第１の方向及び第２の方向に動かされ得るユーザーインタフェースとを備えており、
前記第１及び第２の方向の一方のみにおいて前記第１の抵抗ユニットの荷重を利用すると共に前記第１及び第２の方向の少なくとも一方において前記第２の抵抗ユニットの荷重を利用するワンウェイモードを少なくとも備えている、抵抗システム。
【請求項２】
前記第１の抵抗ユニットが回転式抵抗荷重を備えている、請求項１に記載の抵抗システム。
【請求項３】
前記回転式抵抗荷重が慣性抵抗荷重を備えている、請求項２に記載の抵抗システム。
【請求項４】
少なくとも第１のモードと第２のモードとの間における選択を可能にするモードセレクタをさらに備えており、
前記第１のモードでは、前記ユーザーインタフェースは、前記第１及び第２の方向の両方において前記第１の抵抗ユニットを利用すると共に、前記第１及び第２の方向の少なくとも一方において前記第２の抵抗ユニットを利用し、
前記第２のモードは、前記ワンウェイモードである、請求項１〜３のいずれか１項に記載の抵抗システム。
【請求項５】
前記第２の抵抗ユニットは、供給される抵抗力が単一の方向にある一方向性抵抗荷重を備えている、請求項１〜４のいずれか１項に記載の抵抗システム。
【請求項６】
前記一方向性抵抗荷重が、ばね、ねじりばね、弾性バンド、屈曲可能な棒及びガスシリンダーの１つ以上により提供される、請求項５に記載の抵抗システム。
【請求項７】
前記モードセレクタが少なくとも１つのピンを備えている、請求項４に記載のシステム。
【請求項８】
前記モードセレクタが第３のモードの選択を可能にするものであって、
前記第３のモードでは、前記ユーザーインタフェースは、前記第１及び第２の方向のいずれにも前記第１の抵抗ユニットを利用せず、前記第１及び第２の方向の少なくとも一方において前記第２の抵抗ユニットを利用する、請求項４に記載の抵抗システム。
【請求項９】
前記第１の抵抗ユニットが二方向性の抵抗を提供し、
前記第２の抵抗ユニットが一方向性の抵抗を提供する、請求項１に記載の抵抗システム。
【請求項１０】
前記ユーザーインタフェースと前記第１の抵抗ユニットとの間の第１の接続と、
前記ユーザーインタフェースと前記第２の抵抗ユニットとの間の第２の接続とをさらに備えている、請求項１に記載の抵抗システム。
【請求項１１】
ユーザによる前記第１の抵抗ユニットの荷重の調節を可能にする第１の抵抗ユニット調節器をさらに備えており、
前記第２の抵抗ユニットの前記使用者が選択可能な荷重調節器と、前記第１の抵抗ユニット調節器との一方または両方が、複数の分離した調節位置を備えている、請求項１に記載の抵抗システム。
【請求項１２】
前記第１及び第２の方向の少なくとも一方における前記ユーザーインタフェースの動きに対応して利用される荷重を有する第３の抵抗ユニットをさらに備えている、請求項１に記載の抵抗システム。
【請求項１３】
前記ユーザーインタフェースを前記第１の抵抗ユニット及び前記第２の抵抗ユニットの少なくとも一方に接続させる屈曲可能な部材をさらに備えている、請求項１に記載の抵抗システム。
【請求項１４】
前記ユーザーインタフェースが、第１のユーザ入力及び第２のユーザ入力をさらに備えている、請求項１に記載の抵抗システム。
【請求項１５】
可変駆動装置をさらに備えており、
前記第１ユーザ入力又は前記第２ユーザ入力のいずれかの動きによって前記可変駆動装置が動くように、前記可変駆動装置が前記第１ユーザ入力及び前記第２ユーザ入力に連結されている、請求項１４に記載の抵抗システム。
【請求項１６】
第１の抵抗荷重及び第２の抵抗荷重を有する運動抵抗システムの使用方法であって、
第２の抵抗荷重の所望の大きさを複数の可能な大きさから選択することと、
前記第１の抵抗荷重と前記第２の抵抗荷重との組み合わせを備えた前記抵抗システムにより付与された力に対して、ユーザーインタフェースの動きを第１の方向に動かすことまたは制御することであって、ここで、前記第１の抵抗荷重が第１の抵抗特性を有しており、前記第２の抵抗荷重が前記第１の抵抗特性とは異なる第２の抵抗特性を有していることと、
前記第２抵抗荷重のみを備えた前記抵抗システムにより付与された力に対して、ユーザーインタフェースの動きを第２の方向に動かすことまたは制御することとを備えている方法。
【請求項１７】
前記ユーザーインタフェースの動きを動かすことまたは制御することが、可変駆動装置を動かすことまたは制御することを備える、請求項１６に記載の方法。
【請求項１８】
異なる抵抗モードを選択することをさらに備えており、
前記ユーザーインタフェースの動きを第１の方向に動かすことまたは制御することが、前記第１の抵抗荷重と前記第２の抵抗荷重との組み合わせを含んでおり、
前記ユーザーインタフェースの動きを第２の方向に動かすことまたは制御することが、前記第１の抵抗荷重と前記第２の抵抗荷重との組み合わせを含んでいる、請求項１６に記載の方法。
【手続補正書】
【提出日】平成28年6月16日(2016.6.16)
【手続補正１】
【補正対象書類名】特許請求の範囲
【補正対象項目名】全文
【補正方法】変更
【補正の内容】
【特許請求の範囲】
【請求項１】
接合インプラントであって、
前尖が接合する接合表面と、
上方縁（５７８）、側方縁（５７２、５７４）、及び下方縁（５７６）であって、前記上方縁（５７８）が前記下方縁（５７６）の長さよりも長い長さを有し、その結果、前記側方縁（５７２、５７４）間の横断方向距離が、一般的に前記接合インプラント上で上方から下方へと減少する、前記上方縁（５７８）、前記側方縁（５７２、５７４）、及び前記下方縁５７６と、
を備え、
前記接合インプラントの環状曲線半径（Ｒ１）は、前記接合インプラントの前記上方縁（５７８）の測定値であり、
要素アーク全長（Ｌ３）は、前記接合インプラントに沿って測定される前記接合インプラントの前記上方縁（５７８）から前記下方縁（５７６）への測定値である、接合インプラント。
【請求項２】
前記下方縁長は１〜１５ｍｍの範囲にあることを特徴とする請求項１に記載の接合インプラント。
【請求項３】
前記環状曲線半径（Ｒ１）は１５〜５０ｍｍの範囲にあることを特徴とする請求項１または２に記載の接合インプラント。
【請求項４】
前記要素アーク全長（Ｌ３）は、２５〜１００ｍｍの範囲であることを特徴とする請求項１〜３のいずれか一項に記載の接合インプラント。
【請求項５】
弁の弁輪によって画定される平面に垂直に測定されるときに、接合要素の最も近位の測定値と、心室アンカー部位と、の間の距離に相当する接合要素長（Ｌ１）と、前記弁の弁輪によって画定される平面に垂直に測定されるときに、前記弁のレベルと、心室アンカー部位と、の間の距離に相当する心室要素長（Ｌ２）と、をさらに備えることを特徴とする請求項１〜４のいずれか一項に記載の接合インプラント。
【請求項６】
要素長比Ｌ２：Ｌ１が約０．９より小さいことを特徴とする請求項５に記載の接合インプラント。
【請求項７】
環状アンカー部位をさらに備える請求項１〜６のいずれか一項に記載の接合インプラント。
【請求項８】
前記接合インプラントの外形が円錐の面の一部分にほぼ合致することを特徴とする請求項１〜７のいずれか一項に記載の接合インプラント。
【請求項９】
前記接合インプラントは、円錐の長手方向軸に沿って測定される全高の約５０〜約７０％の前記円錐の面の一部分にほぼ合致し、次いで、接合インプラントフレアが、前記円錐から径方向外側に広がることを特徴とする請求項１〜７のいずれか一項に記載の接合インプラント。
【請求項１０】
径方向外側の前記フレアは、約５〜約１２ｍｍの範囲内の半径を有すると考えることができることを特徴とする請求項９に記載の接合インプラント。
【請求項１１】
前記接合インプラントの形状の維持のために被覆材料内に配設された少なくとも１つのストラットをさらに備えることを特徴とする請求項１〜１０のいずれか一項に記載の接合インプラント。
【請求項１２】
前記少なくとも１つのストラットは、ニチノール合金などの弾性的に変形可能な材料から構成されることを特徴とする請求項１１に記載の接合インプラント。
【請求項１３】
前記少なくとも１つのストラットは、前記接合インプラントの環状端において心室端におけるよりも剛性であることを特徴とする請求項１１または１２に記載の接合インプラント。
【請求項１４】
前記接合インプラントの前面および後面は、ｅＰＴＦＥ、ポリウレタンフォーム、ポリカーボネートフォーム、ブタ心膜のような生物組織、またはシリコーンからなる被覆をさらに備えることを特徴とする請求項１１〜１３のいずれか一項に記載の接合インプラント。
【請求項１５】
前記ストラットは、前記上方縁（５７８）の側方余裕部間の距離を維持する助けとなることを特徴とする請求項１１〜１４のいずれか一項に記載の接合インプラント。
【手続補正書】
【提出日】平成28年5月17日(2016.5.17)
【手続補正１】
【補正対象書類名】明細書
【補正対象項目名】００７６
【補正方法】変更
【補正の内容】
【００７６】
本発明を、特定の好ましい実施形態を参照しながら、かつ歯のホワイトニングという特定の用途に基づいて説明してきた。しかし、添付の特許請求の範囲で規定される保護範囲には、当業者が自身の能力の範囲内で想定可能なあらゆる変形例が包含されることに留意されたい。
なお、本発明は、実施の態様として以下の内容を含む。
〔態様１〕
ペースト型組成物（Ｃ）の照射装置（１０；１００）において、
照射対象であるペースト型組成物（Ｃ）が通過する長手方向貫通孔（１４；１４０）、およびこの長手方向貫通孔（１４；１４０）から延出する供給ヘッド（１８；１８０）を具備した収納本体（１２；１２０）と、
前記収納本体（１２；１２０）に配置され、前記長手方向貫通孔（１４；１４０）を通過しているペースト型組成物（Ｃ）を照射する少なくとも１つの照射要素（２４；２４０）と、
前記収納本体（１２；１２０）に配置され、前記少なくとも１つの照射要素（２４；２４０）と電気的に接続するエネルギ源（２６；２６０）と、
を備えることを特徴とする、照射装置（１０；１００）。
〔態様２〕
態様１に記載の照射装置（１０；１００）において、さらに、
前記少なくとも１つの照射要素（２４；２４０）をオン／オフの間で切り替える手段（２８；２８０）を備えることを特徴とする、照射装置（１０；１００）。
〔態様３〕
態様２に記載の照射装置（１０；１００）において、前記少なくとも１つの照射要素（２４；２４０）をオン／オフの間で切り替える前記手段（２８；２８０）が、前記収納本体（１２；１２０）から延出するエンド部位（２１）を含み、当該照射装置（１０；１００）の前記供給ヘッド（１８；１８０）に対して着脱可能に結合できる蓋（４０）が当該照射装置（１０；１００）の前記供給ヘッド（１８；１８０）から外れる際に、前記少なくとも１つの照射要素（２４；２４０）をオンに切り替えるように、前記エンド部位（２１）が前記蓋（４０）と協働することを特徴とする、照射装置（１０；１００）。
〔態様４〕
態様１から３のいずれか一態様に記載の照射装置（１０）において、前記収納本体（１２）が、半透明のプラスチック材から形成されることを特徴とする、照射装置（１０）。
〔態様５〕
態様１から４のいずれか一態様に記載の照射装置（１００）において、前記収納本体（１２０）が、略円筒の第１の円筒部位（１１０）と、前記第１の円筒部位（１１０）から延びる第２の円筒部位（１３０）とを含むことを特徴とする、照射装置（１００）。
〔態様６〕
態様５に記載の照射装置（１００）において、前記第２の円筒部位（１３０）が、前記第１の円筒部位と同心である中央の略円筒の中央部分（１３１）と、この略円筒の部分（１３１）から延びる円錐台状の円錐台部分（１３２）とを有し、前記中央部分（１３１）には、前記長手方向貫通孔（１４０）が形成されていることを特徴とする、照射装置（１００）。
〔態様７〕
態様６に記載の照射装置（１００）において、前記円錐台部分（１３２）が、その内側面に１つまたは複数の溝（１５０）を有することを特徴とする、照射装置（１００）。
〔態様８〕
態様５から７のいずれか一態様に記載の照射装置（１００）において、前記第１の円筒部位（１１０）が不透明なプラスチック材から形成され、前記第２の円筒部位（１３０）が透明なプラスチック材から形成されることを特徴とする、照射装置（１００）。
〔態様９〕
態様１から８のいずれか一態様に記載の照射装置（１０；１００）において、前記供給ヘッド（１８；１８０）に、雄ねじが切られていることを特徴とする、照射装置（１０；１００）。
〔態様１０〕
態様１から９のいずれか一態様に記載の照射装置（１０；１００）において、前記長手方向貫通孔（１４；１４０）は、前記供給ヘッド（１８；１８０）が延出する側と反対側の端部（１６；１６０）が、照射対象であるペースト型組成物（Ｃ）を収容するカートリッジ（３０；３００）と着脱可能に連結するようにねじが切られていることを特徴とする、照射装置（１０；１００）。
〔態様１１〕
態様１から１０のいずれか一態様に記載の照射装置（１０；１００）において、前記少なくとも１つの照射要素（２４；２４０）が、発光ダイオードであることを特徴とする、照射装置（１０；１００）。
〔態様１２〕
態様１１に記載の照射装置（１０；１００）において、前記発光ダイオード（２４；２４０）が、ＵＶ発光ダイオードまたはＲＧＢ発光ダイオードであることを特徴とする、照射装置（１０；１００）。
〔態様１３〕
態様１から１２のいずれか一態様に記載の照射装置（１０；１００）において、前記エネルギ源が、１つまたは複数の使い切りの電池または充電可能な電池で構成されることを特徴とする、照射装置（１０；１００）。
〔態様１４〕
照射対象であるペースト型組成物（Ｃ）を処置箇所に塗布するのに用いるカートリッジ（５０）において、
照射対象であるペースト型組成物（ＣＦ）を収容するチューブ（３０；３００）と、
態様１から１３のいずれか一態様に記載の照射装置（１０）と、
を備え、ペースト型組成物の前記チューブは、前記照射装置と着脱可能に連結できることを特徴とする、カートリッジ（５０）。
〔態様１５〕
態様１４に記載のカートリッジ（５０）において、前記ペースト型組成物（Ｃ）が、ペースト型光感受性組成物であることを特徴とする、カートリッジ（５０）。
【手続補正書】
【提出日】平成28年6月8日(2016.6.8)
【手続補正１】
【補正対象書類名】特許請求の範囲
【補正対象項目名】全文
【補正方法】変更
【補正の内容】
【特許請求の範囲】
【請求項１】
操縦可能なカテーテルの二方向性制御のための制御システムであって、前記カテーテルが少なくとも２つの制御ワイヤを含み、前記制御ワイヤのそれぞれの先端部がその先端領域において前記カテーテルに結合されており、
前記制御システムは、
前記カテーテルに結合されたハウジングと、
前記ハウジング内に配置されており、その中で直線的に並進するように動作可能な摺動アセンブリと、
前記摺動アセンブリ内に配置された前記少なくとも２つの制御ワイヤのそれぞれの基端部分と、
前記ハウジングにその端部で回転自在に結合されており、前記摺動アセンブリを直線的に並進させることによって前記摺動アセンブリが前記少なくとも２つの制御ワイヤのそれぞれを別個に操作し、前記カテーテルの偏向の変化を生じさせることを可能にするための制御ノブと、
を含み、
前記制御ノブの第１の回転方向における回転が前記摺動アセンブリの第１の直線方向への先端側動作を生じさせ、前記摺動アセンブリが前記少なくとも２つの制御ワイヤの１つに張力をかけ、それによって第１の偏向方向への前記カテーテルの偏向の変化を生じさせ、かつ、
前記制御ノブの第２の回転方向における回転が前記摺動アセンブリの第２の直線方向への基端側動作を生じさせ、前記摺動アセンブリが前記少なくとも２つの制御ワイヤのもう一方に張力をかけることによって、第２の偏向方向への前記カテーテルの偏向の変化を生じさせる、制御システム。
【請求項２】
前記ハウジングが、内部ハウジング部と、それに結合された外部ハウジング部と、を含み、
前記内部ハウジング部が、その内部表面に、前記摺動アセンブリの突起部と協動的に係合し、前記内部ハウジング部内における前記摺動アセンブリの直線並進を維持するための溝を画定する、請求項１に記載の制御システム。
【請求項３】
前記ハウジングが、内部ハウジング部と、それに結合された外部ハウジング部と、を含み、
前記内部ハウジング部が、直線並進時に前記摺動アセンブリを案内するための窓を画定する、請求項１に記載の制御システム。
【請求項４】
前記ノブと前記ハウジングとの間に協動係合を提供し、前記ノブと前記ハウジングとの間における回転運動を可能にする一方で互いに対する長手方向の変位を防止するための係止機構を更に含む、請求項１に記載の制御システム。
【請求項５】
前記摺動アセンブリが、少なくとも３つの通路を画定するキャリッジを含む摺動アセンブリハウジングを含み、
前記少なくとも２つの制御ワイヤが第１制御ワイヤ及び第２制御ワイヤを含み、
前記少なくとも３つの通路が、
第１通路であって、前記第１制御ワイヤの基端部が前記摺動アセンブリの基端側にあるように前記第１制御ワイヤが前記第１通路内を基端側に通過することを可能にするための第１通路と、
第２通路であって、前記第２制御ワイヤが前記第２通路内を基端側に通過することを可能にする、第２通路と、
第３通路であって、前記第２制御ワイヤの基端部が前記摺動アセンブリの先端側にあるように、方向反転要素により経路を定められた後に前記第２制御ワイヤが前記第３通路を先端側に通過することを可能にする、第３通路と、を含み、
前記第１通路及び前記第３通路が、
前記第２制御ワイヤのひずみを最小にするため、及び前記ハウジング内における前記摺動アセンブリの回転を最小にするため、前記摺動アセンブリの対向する側方縁端に向けて配置されている、請求項１に記載の制御システム。
【請求項６】
前記少なくとも２つの制御ワイヤのうちの１つのたるみを制限するためのたるみ制限要素を更に含む、請求項１に記載の制御システム。
【請求項７】
前記たるみ制限要素が、前記少なくとも２つの制御ワイヤの一方に摩擦的に係合して、その点でたるみを制限するための摩擦デバイスを含む、請求項６に記載の制御システム。
【請求項８】
前記摩擦デバイスが蛇行摩擦デバイスを含む、請求項７に記載の制御システム。
【請求項９】
前記ハウジング内における前記摺動アセンブリの直線並進を制限し、前記カテーテルの前記偏向を制限するための摺動制限要素を更に含む、請求項１に記載の制御システム。
【請求項１０】
前記摺動制限要素が、剛性材料を含む管状摺動停止部を含む、請求項９に記載の制御システム。
【請求項１１】
前記摺動制限要素が前記摺動アセンブリの基端側に配置されている、請求項９に記載の制御システム。
【請求項１２】
前記カテーテルの、その第１の偏向方向及び第２の偏向方向のそれぞれにおける許容可能な偏向を変更するため、前記摺動アセンブリの中立位置を前記摺動制限要素と併せて調節可能である、請求項９に記載の制御システム。
【請求項１３】
前記少なくとも２つの制御ワイヤの一方が前記摺動アセンブリに方向反転要素を介して間接的に結合されている、請求項１に記載の制御システム。
【請求項１４】
前記方向反転要素がピン及びプーリからなるグループから選択される、請求項１３に記載の制御システム。
【請求項１５】
カテーテル本体と、
少なくとも２つの制御ワイヤであって、前記制御ワイヤのそれぞれの先端部がその先端側領域において前記カテーテル本体に結合されている、少なくとも２つの制御ワイヤと、
請求項１−１４のいずれか一項に記載の制御システムと、
を含む、操縦可能なカテーテル装置。
【手続補正書】
【提出日】平成28年8月1日(2016.8.1)
【手続補正１】
【補正対象書類名】特許請求の範囲
【補正対象項目名】全文
【補正方法】変更
【補正の内容】
【特許請求の範囲】
【請求項１】
活性成分としてフマル酸ジメチルと、テリフルノミド、フィンゴリモドおよびラキニモドから選択される１種の薬物ならびに１種以上の薬学的に許容される添加物からなる、多発性硬化症の経口処置に適した医薬組成物。
【請求項２】
１日１回投与に適した、請求項１に記載の医薬組成物。
【請求項３】
５００mg〜７５０mgの用量範囲のフマル酸ジメチルおよび１mg〜６mgの用量範囲のテリフルノミドを含む、請求項２に記載の医薬組成物。
【請求項４】
５００mg〜７５０mgの用量範囲のフマル酸ジメチルおよび０.０５mg〜０.４５mgの用量範囲のフィンゴリモドを含む、請求項２に記載の医薬組成物。
【請求項５】
５００mg〜７５０mgの用量範囲のフマル酸ジメチルおよび０.０５mg〜０.２５mgの用量範囲のラキニモドを含む、請求項２に記載の医薬組成物。
【請求項６】
６２５mgの用量範囲のフマル酸ジメチルおよび５mgの用量範囲のテリフルノミドを含む、請求項３に記載の医薬組成物。
【請求項７】
６２５mgの用量範囲のフマル酸ジメチルおよび０.３mgの用量範囲のフィンゴリモドを含む、請求項４に記載の医薬組成物。
【請求項８】
６２５mgの用量範囲のフマル酸ジメチルおよび０.２５mgの用量範囲のラキニモドを含む、請求項５に記載の医薬組成物。
【請求項９】
１２５mg〜５００mgの用量範囲のフマル酸ジメチルおよび１mg〜６mgの用量範囲のテリフルノミドを含む、請求項２に記載の医薬組成物。
【請求項１０】
１２５mg〜５００mgの用量範囲のフマル酸ジメチルおよび０.０５mg〜０.４５mgの用量範囲のフィンゴリモドを含む、請求項２に記載の医薬組成物。
【請求項１１】
１２５mg〜５００mgの用量範囲のフマル酸ジメチルおよび０.０５mg〜０.２５mgの用量範囲のラキニモドを含む、請求項２に記載の医薬組成物。
【請求項１２】
３７５mgの用量範囲のフマル酸ジメチルおよび５mgの用量範囲のテリフルノミドを含む、請求項９に記載の医薬組成物。
【請求項１３】
３７５mgの用量範囲のフマル酸ジメチルおよび０.３mgの用量範囲のフィンゴリモドを含む、請求項１０に記載の医薬組成物。
【請求項１４】
３７５mgの用量範囲のフマル酸ジメチルおよび０.２５mgの用量範囲のラキニモドを含む、請求項１１に記載の医薬組成物。
【請求項１５】
１日２回投与に適した、請求項１に記載の医薬組成物。
【請求項１６】
２５０mg〜３７５mgの用量範囲のフマル酸ジメチルおよび０.５mg〜３mgの用量範囲のテリフルノミドまたは０.０２５mg〜０.２０mgの用量範囲のフィンゴリモドまたは０.０２５mg〜０.１２５mgの用量範囲のラキニモドを含む、請求項１５に記載の医薬組成物。
【請求項１７】
３７５mgの用量範囲のフマル酸ジメチルおよび２mgの用量範囲のテリフルノミドまたは０．２mgの用量範囲のフィンゴリモドまたは０.２５mgの用量範囲のラキニモドを含む、請求項１５に記載の医薬組成物。
【請求項１８】
６０mg〜２５０mgの用量範囲のフマル酸ジメチルおよび０.５mg〜３mgの用量範囲のテリフルノミドまたは０.０２５mg〜０.２０mgの用量範囲のフィンゴリモドまたは０.０２５mg〜０.１２５mgの用量範囲のラキニモドを含む、請求項１５に記載の医薬組成物。
【請求項１９】
１２５mgの用量範囲のフマル酸ジメチルおよび５mgの用量範囲のテリフルノミドまたは０.２mgの用量範囲のフィンゴリモドまたは０.１２５mgの用量範囲のラキニモドを含む、請求項１５に記載の医薬組成物。
【請求項２０】
フマル酸ジメチルが組成物の活性成分の持続性放出を提供する部分に含まれ、テリフルノミド、フィンゴリモドおよびラキニモドから選択される１種の薬物が組成物の活性成分の急速放出を提供する部分に含まれる、請求項１〜１９の何れか１項に記載の医薬組成物。
【請求項２１】
フマル酸ジメチルが錠剤の持続性放出マトリックス部分に含まれ、テリフルノミド、フィンゴリモドおよびラキニモドから選択される１種の薬物が、マトリックス部分を囲むコーティングに含まれる、請求項２０に記載の医薬組成物。
【請求項２２】
テリフルノミド、フィンゴリモドおよびラキニモドから選択される１種の薬物が、錠剤のマトリックス部分を囲む外側の腸溶性コーティングに含まれる、請求項２１に記載の医薬組成物。
【請求項２３】
請求項１のテルフルノミドに変えて、そのプロドラッグであるレフルノミドで置き換えた、請求項１に記載の医薬組成物。